(57)【要約】【課題】異物の侵入を防いで、耐衝撃性を確保し、かつ操作性の向上が図れるスイッチ装置およびそれを備えた時計を提供する。【解決手段】本体ケース２の貫通孔１８に設けられた筒状部材２０と、この筒状部材２０に挿入する軸部２４、およびこの軸部２４の外端部に設けられて本体ケース２の外面に接離可能に接近する頭部２５を有する操作部材２１と、本体ケース２の外面と頭部２５との間に筒状部材２０の外周に沿って環状に配置され、頭部２５が接離可能に弾接するパッキン部材３４と、を備えている。従って、頭部２５を押して本体ケース２の外面に接近させた際に、頭部２５をパッキン部材３４に弾接させることができるので、本体ケース２と頭部２５との間における異物の侵入を防いで、耐衝撃性を確保できる。また、頭部２５を引き出してパッキン部材３４から離した状態で、操作部材２１を操作できるので、操作部材２１の操作性の向上が図れる。【選択図】図２
2019012086.tif 000002
【特許請求の範囲】
【請求項１】
貫通孔を有するケースと、
前記ケースの前記貫通孔に設けられた筒状部材と、
前記筒状部材に挿入する軸部、およびこの軸部の外端部に設けられて前記ケースの外面に接離可能に接近する頭部を有する操作部材と、
前記ケースの外面と前記操作部材の前記頭部との間に前記筒状部材の外周に沿って環状に配置され、前記頭部が接離可能に弾接するパッキン部材と、
を備え、
前記パッキン部材は、前記ケースの外面に配置される環状のベース部と、このベース部に設けられて前記頭部が接離可能に弾接する環状の弾性部と、を備えていることを特徴とするスイッチ装置。
【請求項２】
請求項１に記載のスイッチ装置において、前記操作部材の前記頭部が前記ケースの外面に接近した状態で、前記頭部を前記筒状部材に対してロックするロック機構を備えていることを特徴とするスイッチ装置。
【請求項３】
請求項１または請求項２に記載のスイッチ装置において、前記ベース部には、前記ケースの外部に向けて突出する突起部が環状に設けられており、前記弾性部は、前記突起部の外面に設けられていることを特徴とするスイッチ装置。
【請求項４】
請求項１または請求項２に記載のスイッチ装置において、前記パッキン部材は、前記ロック機構によって前記頭部をロックする際のロック操作力と、前記ロック機構による前記頭部のロックを解除する際のロック解除操作力と、が異なるように制動する制動部を備えていることを特徴とするスイッチ装置。
【請求項５】
請求項１〜請求項４のいずれかに記載のスイッチ装置において、前記パッキン部材は、前記ケースの外面に前記筒状部材に設けられたフランジ部によって押え付けられた状態で配置されることを特徴とするスイッチ装置。
【請求項６】
請求項１〜請求項５のいずれかに記載のスイッチ装置において、前記パッキン部材は、前記筒状部材の外周に沿う回転移動を規制する回転止め部を備えていることを特徴とするスイッチ装置。
【請求項７】
請求項１〜請求項６のいずれかに記載のスイッチ装置において、前記パッキン部材は、前記頭部が圧接した状態で回転する際における前記パッキン部材の捩れを規制する捩れ規制部を備えていることを特徴とするスイッチ装置。
【請求項８】
請求項１〜請求項７のいずれかに記載されたスイッチ装置を備えていることを特徴とする時計。
【発明の詳細な説明】
【技術分野】
【０００１】
この発明は、時計、携帯電話機、携帯端末機などの電子機器に用いられるスイッチ装置およびそれを備えた時計に関する。
【背景技術】
【０００２】
例えば、腕時計のスイッチ装置においては、特許文献１に記載されているように、腕時計ケースの取付孔に取付パイプを嵌め込み、この取付パイプに釦部材の軸部をスライド可能に挿入し、この取付パイプから外部に突出する釦部材の軸部およびこの軸部の外端部の頭部を防水シートで覆い、この防水シートを腕時計ケースの外面に固定部材によって取り付けることにより、防水性を図った構成のものが知られている。
【先行技術文献】
【特許文献】
【０００３】
【特許文献１】特開２００９−１３３８５９号公報
【０００４】
この種のスイッチ装置は、防水シートがウレタン樹脂やシリコーン樹脂などの軟質の合成樹脂で形成され、釦部材が押圧操作された際に、その押圧操作に応じて防水シートが弾性変形し、この防水シートの弾性変形に伴って釦部材がスライドすることにより、腕時計ケース内のスイッチ接点をスイッチ動作させるように構成されている。
【発明の概要】
【発明が解決しようとする課題】
【０００５】
しかしながら、このようなスイッチ装置では、防水シートの肉厚が厚いと、防水シートが弾性変形し難く、釦部材を押圧操作する際の押圧荷重が重くなるため、釦部材の操作性が低下するという問題があり、また防水シートの肉厚が薄いと、防水シートが弾性変形し易くなるため、防水シートが破損し易くなり、防水性を確保することが難しいという問題がある。
【０００６】
また、このようなスイッチ装置では、防水シートが軟質の合成樹脂であるため、防水シートの肉厚が厚くても、また薄くても、劣化し易いという問題があるほか、釦部材が外部から衝撃を受けると、その衝撃によって釦部材が押圧されて不用意に腕時計ケース内に向けて押し込まれ、腕時計ケース内のモジュールの誤動作や破損を招くという問題がある。
【０００７】
この発明が解決しようとする課題は、異物の侵入を防いで、耐衝撃性を確保し、かつ操作性の向上を図ることができるスイッチ装置およびそれを備えた時計を提供することである。
【課題を解決するための手段】
【０００８】
この発明は、貫通孔を有するケースと、このケースの前記貫通孔に設けられた筒状部材と、この筒状部材に挿入する軸部、およびこの軸部の外端部に設けられて前記ケースの外面に接離可能に接近する頭部を有する操作部材と、前記ケースの外面と前記操作部材の前記頭部との間に前記筒状部材の外周に沿って環状に配置され、前記頭部が接離可能に弾接するパッキン部材と、を備え、前記パッキン部材は、前記ケースの外面に配置される環状のベース部と、このベース部に設けられて前記頭部が接離可能に弾接する環状の弾性部と、を備えていることを特徴とするスイッチ装置である。
【発明の効果】
【０００９】
この発明によれば、ケースの貫通孔に設けられた筒状部材に操作部材の軸部を押し込んで、操作部材の頭部をケースの外面に接近させた際に、頭部をパッキン部材に弾接させることができるので、ケースの外面と操作部材の頭部との間における異物の侵入を防ぐことができると共に、外部から衝撃を受けても、その衝撃をパッキン部材によって緩衝することができる。また、操作部材の軸部をケースの外部に向けて引き出して頭部をパッキン部材から離した状態で、操作部材を操作することができるので、操作部材の操作性を向上させることができる。
【図面の簡単な説明】
【００１０】
【図１】この発明を腕時計に適用した第１実施形態を示した拡大正面図である。
【図２】図１に示された腕時計のＡ−Ａ矢視における要部の拡大断面図である。
【図３】図２に示された腕時計におけるスイッチ装置の操作部材が押し出された状態を示した要部の拡大断面図である。
【図４】図２に示されたスイッチ装置の要部を分解して示した拡大斜視図である。
【図５】図４に示されたスイッチ装置のパッキン部材を示し、（ａ）はその拡大正面図、（ｂ）はそのＢ−Ｂ矢視における拡大断面図である。
【図６】この発明を腕時計に適用した第２実施形態におけるスイッチ装置のパッキン部材を示し、（ａ）はその拡大正面図、（ｂ）はそのＣ−Ｃ矢視における拡大断面図である。
【図７】この発明を腕時計に適用した第３実施形態におけるスイッチ装置のパッキン部材を分解して示した拡大斜視図である。
【図８】図７に示されたパッキン部材を示し、（ａ）はその拡大正面図、（ｂ）はそのＤ−Ｄ矢視における拡大断面図、（ｃ）はそのＥ−Ｅ矢視における拡大断面図である。
【図９】この発明を腕時計に適用した第４実施形態におけるスイッチ装置の要部を分解して示した拡大斜視図である。
【図１０】図９に示されたスイッチ装置のパッキン部材を示し、（ａ）はその拡大正面図、（ｂ）はそのＦ−Ｆ矢視における拡大断面図、（ｃ）はそのＧ−Ｇ矢視における拡大断面図である。
【図１１】この発明を腕時計に適用した第５実施形態におけるスイッチ装置の要部を分解して示した拡大斜視図である。
【図１２】図１１に示されたスイッチ装置のパッキン部材を示し、（ａ）はその拡大正面図、（ｂ）はそのＨ−Ｈ矢視における拡大断面図、（ｃ）はそのＩ−Ｉ矢視における拡大断面図である。
【発明を実施するための形態】
【００１１】
（第１実施形態）
以下、図１〜図５を参照して、この発明を腕時計に適用した第１実施形態について説明する。
この腕時計は、図１〜図３に示すように、腕時計ケース１を備えている。この腕時計ケース１は、本体ケース２と第１外装ケース３と第２外装ケース４とによって構成されている。本体ケース２は、硬質の合成樹脂からなり、その内部に補強用の金属部材２ａが埋め込められた構成になっている。
【００１２】
第１外装ケース３は、図１〜図３に示すように、軟質の合成樹脂からなり、本体ケース２の外周に、これを覆って取り付けられるように構成されている。第２外装ケース４は、軟質の合成樹脂からなり、本体ケース２の上部外周および第１外装ケース３の上部外周に、これらを覆って取り付けられるように構成されている。
【００１３】
腕時計ケース１の上部開口部、つまり本体ケース２の上部開口部には、図２および図３に示すように、時計ガラス５がパッキン５ａを介して取り付けられている。この場合、時計ガラス５の上面における外周縁は、図１〜図３に示すように、第２外装ケース４によって覆われている。また、この腕時計ケース１の下部、つまり本体ケース２の下部には、裏蓋６が防水リング６ａを介して取り付けられている。
【００１４】
この腕時計ケース１の内部、つまり本体ケース２の内部には、図２および図３に示すように、時計モジュール７が押え部材８によって配置されている。時計モジュール７は、指針を駆動するための時計ムーブメントや、時刻などの情報を電気光学的に表示する表示パネルなど、時計機能に必要な各種の部品（いずれも図示せず）を備えている。押え部材８は、時計モジュール７と裏蓋６との間に配置されることにより、時計モジュール７を腕時計ケース１内に組み付けるように構成されている。
【００１５】
この場合、時計モジュール７と時計ガラス５との間には、図２および図３に示すように、リング状の見切り部材１２が設けられている。この見切り部材１２は、その上面が外周側から内周側に向けて傾斜する傾斜面に形成され、この傾斜面に時字（図示せず）が円周方向に沿って等間隔で設けられた構成になっている。また、この見切り部材１２と時計モジュール７との間には、その上方を指針が運針する第１文字板１３と第２文字板１４とが上下に重なった状態で配置されている。
【００１６】
ところで、腕時計ケース１の１２時側と６時側との各側部には、図１に示すように、バンド取付部１５がそれぞれ外部に突出して設けられている。また、この腕時計ケース１の３時側の側部には、スイッチ装置１６が設けられており、この腕時計ケース１の２時側、４時側、８時側、および１０時側の各側部には、押釦スイッチ１７がそれぞれ設けられている。
【００１７】
スイッチ装置１６は、図２〜図４に示すように、腕時計ケース１の本体ケース２に設けられた貫通孔１８に嵌め込まれた筒状部材２０と、この筒状部材２０にスライド可能に挿入されて本体ケース２の外部に突出する操作部材２１と、を備えている。この場合、貫通孔１８は、本体ケース２の内部側が小径孔部１８ａに形成され、外部側が大径孔部１８ｂに形成され、この大径孔部１８ｂの外端部に座ぐり部１８ｃが形成された構成になっている。
【００１８】
筒状部材２０は、図２〜図４に示すように、本体ケース２の貫通孔１８の小径孔部１８ａに挿入する小径筒部２０ａと、本体ケース２の貫通孔１８の大径孔部１８ｂに挿入する中径筒部２０ｂと、本体ケース２の外部に突出する大径筒部２０ｃと、を有し、これらが金属や硬質の合成樹脂で一体に形成されている。
【００１９】
この場合、小径筒部２０ａは、図２および図３に示すように、その軸方向の長さが貫通孔１８の小径孔部１８ａの軸方向の長さよりも長く形成され、その内端部が本体ケース２内に突出するように構成されている。また、本体ケース２内に突出する小径筒部２０ａの内端部には、Ｅリングなどの抜止め部材２２が取り付けられている。これにより、小径筒部２０ａは、抜止め部材２２が本体ケース２の内周面に当接することにより、筒状部材２０が本体ケース２の外部に抜け出さないように構成されている。
【００２０】
また、中径筒部２０ｂは、図２および図３に示すように、その軸方向の長さが貫通孔１８の大径孔部１８ｂの軸方向の長さと同じ長さに形成されている。これにより、中径筒部２０ｂは、貫通孔１８の大径孔部１８ｂ内に嵌着するように構成されている。また、この中径筒部２０ｂの外周面には、貫通孔１８の大径孔部１８ｂの内周面に圧接する複数の防水リング２３がそれぞれ環状に設けられている。
【００２１】
さらに、大径筒部２０ｃは、図２および図３に示すように、その外径が貫通孔１８の大径孔部１８ｂの内径よりも大きく、かつ貫通孔１８の座ぐり部１８ｃの内径よりも小さい大きさで形成されている。この大径筒部２０ｃの内端部、つまり中径筒部２０ｂとの境界部には、貫通孔１８の座ぐり部１８ｃに配置されるフランジ部２０ｄが設けられている。
【００２２】
この場合、筒状部材２０の内部には、図２および図３に示すように、小径孔部２０ｅと大径孔部２０ｆとが設けられている。小径孔部２０ｅは、本体ケース２内に突出する小径筒部２０ａ内に設けられている。大径孔部２０ｆは、小径孔部２０ｅを除いて、小径筒部２０ａから大径筒部２０ｃの外端部に亘って設けられている。
【００２３】
これにより、筒状部材２０は、図２および図３に示すように、中径筒部２０ｂが本体ケース２の貫通孔１８の大径孔部１８ｂに嵌着された状態で、小径筒部２０ａの内端部に取り付けられた抜止め部材２２が本体ケース２の内周面に当接し、かつ大径筒部２０ｃのフランジ部２０ｄが貫通孔１８の座ぐり部１８ｃに配置されることにより、本体ケース２の貫通孔１８内にその軸方向にガタツクことなく取り付けられるように構成されている。
【００２４】
一方、操作部材２１は、図２〜図４に示すように、本体ケース２の貫通孔１８に嵌め込まれた筒状部材２０にスライド可能に挿入される軸部２４と、この軸部２４の外端部に設けられた頭部２５と、を有している。頭部２５は、全体がほぼ円筒状に形成され、本体ケース２の外部に突出した筒状部材２０の大径筒部２０ｃの外周にスライド可能に配置されるように構成されている。
【００２５】
すなわち、この頭部２５は、図２および図３に示すように、その内径が筒状部材２０の大径筒部２０ｃの外径よりも大きく形成されている。また、この頭部２５は、その外径が筒状部材２０のフランジ部２０ｄの外径よりも大幅に大きく、かつ本体ケース２の上下方向の長さよりも短く形成されている。さらに、この頭部２５は、その外周部の軸方向の長さが筒状部材２０の大径筒部２０ｃの軸方向の長さよりも長く形成され、かつ内周部の軸方向の長さが筒状部材２０の大径筒部２０ｃの軸方向の長さとほぼ同じ長さに形成されている。
【００２６】
これにより、頭部２５は、図２および図３に示すように、本体ケース２の外部に突出した筒状部材２０の大径筒部２０ｃの外周に、これを覆った状態で、軸方向に沿ってスライド可能に配置され、本体ケース２側に位置する頭部２５の内側端面２５ａが本体ケース２の外面に接離可能に接近するように構成されている。
【００２７】
軸部２４は、図２および図３に示すように、円筒状に形成され、筒状部材２０の大径孔部２０ｆ内に、スライド可能で、かつ回転可能に挿入されている。この軸部２４の外端部には、頭部２５が一体に設けられている。すなわち、この軸部２４は、その外径が筒状部材２０の大径孔部２０ｆの内径とほぼ同じ大きさで、軸方向の長さが大径孔部２０ｆの軸方向の長さとほぼ同じ長さに形成されている。
【００２８】
この場合、軸部２４の外周には、図２および図３に示すように、複数の防水リング２６が摺動可能に圧接している。これら複数の防水リング２６は、筒状部材２０の大径孔部２０ｆの内周面に環状に設けられ、軸部２４が筒状部材２０の大径孔部２０ｆに挿入された際に、軸部２４の外周面に圧接した状態で、軸部２４がスライド可能に摺動するように構成されている。
【００２９】
また、この軸部２４の内部は、図２および図３に示すように、連結穴２７が軸部２４の軸方向に沿って設けられている。この連結穴２７は、本体ケース２の内部側に位置する個所に形成された断面四角形の角孔部２７ａと、本体ケース２の外部側に位置する個所に形成されて角孔部２４ａに内接する断面円形の丸孔部２７ｂと、を有している。この軸部２４の連結穴２７には、連動部材２８がスライド可能に配置されている。
【００３０】
この連動部材２８は、図２および図３に示すように、その外径が軸部２４の連結穴２７における丸孔部２７ｂの内径よりも小さく、かつ筒状部材２０の小径孔部２０ｅの内径と同じ大きさの棒状に形成されている。また、この連動部材２８は、その軸方向の長さが連結穴２７の軸方向の長さよりも短く、かつ連結穴２７の角孔部２７ａの軸方向の長さよりも長く形成されている。さらに、この連動部材２８の中間部には、連結穴２７の角孔部２７ａ内にスライド可能に配置される四角形状の角板部２８ａが設けられている。
【００３１】
これにより、連動部材２８は、図２および図３に示すように、角板部２８ａが軸部２４の連結穴２７の角孔部２７ａ内をスライドすると共に、操作部材２１の頭部２５の回転に伴って軸部２４が回転する際に、連結穴２７の角孔部２７ａに配置された角板部２８ａによって、軸部２４と共に回転するように構成されている。
【００３２】
この場合、連動部材２８は、図２および図３に示すように、頭部２５側に位置する丸孔部２７ｂの奥端部（図２では右端部）と角板部２８ａとの間に配置されたコイルばね２９のばね力によって、本体ケース２内に向けて押し込まれる方向に付勢されている。また、この連動部材２８には、巻真３０が一体的に取り付けられている。
【００３３】
この巻真３０は、図２および図３に示すように、その一端部３０ａが本体ケース２の内部側に位置する連動部材２８の端部に螺着され、本体ケース２の内部側に位置する他端部３０ｂが筒状部材２０の小径孔部２０ｅを通して本体ケース２内に挿入され、この挿入された他端部３０ｂが本体ケース２内に組み込まれた時計モジュール７内に差し込まれるように構成されている。
【００３４】
すなわち、この巻真３０は、図２および図３に示すように、その他端部３０ｂが時計モジュール７内に差し込まれた状態で、操作部材２１の頭部２５の回転に伴って軸部２４が回転し、この軸部２４の回転によって連動部材２８の角板部２８ａが連結穴２７の角孔部２７ａと共に回転した際に、連動部材２８が回転し、この連動部材２８と共に一体的に回転するように構成されている。
【００３５】
また、この巻真３０は、図２および図３に示すように、その他端部３０ｂが時計モジュール７内に差し込まれた状態で、操作部材２１の頭部２５が本体ケース２の外部に向けて引き出され、これに伴って軸部２４が本体ケース２の外部に向けてスライドする際に、連動部材２８の角板部２８ａがコイルばね２９のばね力によって本体ケース２の内部側に向けて付勢されていることにより、連動部材２８が軸部２４と共にスライドせず、連動部材２８と共に同じ状態（ニュートラル状態）を維持するように構成されている。
【００３６】
すなわち、この巻真３０は、図２および図３に示すように、操作部材２１の軸部２４が本体ケース２の外部に向けスライドする際に、連動部材２８の角板部２８ａが軸部２４の連結穴２７の角孔部２７ａ内を相対的に移動することにより、連動部材２８が軸部２４と共にスライドせず、連動部材２８と共に同じ状態（ニュートラル状態）を維持するように構成されている。
【００３７】
また、この巻真３０は、図３に示すように、連動部材２８の角板部２８ａが軸部２４の連結穴２７の端部に設けられた当接部２７ｃに当接した状態で、操作部材２１の頭部２５が本体ケース２の外部に向けて引き出され、これに伴って軸部２４がコイルばね２９のばね力に抗して本体ケース２の外部に向けスライドする際に、連動部材２８が軸部２４と共にスライドし、この連動部材２８と共にスライドして、時計モジュール７の時計ムーブメントを操作可能な状態にするように構成されている。
【００３８】
さらに、この巻真３０は、図３に示す状態で、操作部材２１の頭部２５が本体ケース２の外部に向けて引き出され、これに伴って連動部材２８と共にスライドして、時計モジュール７の時計ムーブメントを操作可能な状態になった際に、操作部材２１の回転に伴って軸部２４と共に回転して、時計モジュール７の時計ムーブメントを操作することにより、指針によって指示される時刻などを修正するように構成されている。
【００３９】
一方、操作部材２１は、図２に示すように、操作部材２１の頭部２５が本体ケース２の内部に向けて押し込まれて、頭部２５が本体ケース２の外面に接近した際に、ロック機構３１によって筒状部材２０に対してロックされるように構成されている。すなわち、このロック機構３１は、図２〜図４に示すように、操作部材２１の頭部２５の内部に設けられたロック部材３２と、筒状部材２０に設けられてロック部材３２を係脱可能に係止するロック係止部３３と、を備えている。
【００４０】
ロック部材３２は、図２および図３に示すように、操作部材２１の頭部２５の内周に嵌め込まれた筒状部３２ａと、この筒状部３２ａにその円周方向に沿って１２０度の間隔で設けられた複数（この実施形態では３個）のフック部３２ｂと、を有している。
【００４１】
ロック係止部３３は、図４に示すように、筒状部材２０の大径筒部２０ｃの外周における本体ケース２の外部側に位置する端部にその円周方向に沿って１２０度の間隔で設けられた複数（この実施形態では３個）のカム突起３３ａと、これらカム突起３３ａに隣接した状態で円周方向に沿って環状に設けられたカム溝部３３ｂと、を有している。
【００４２】
この場合、ロック部材３２は、図２に示すように、操作部材２１の頭部２５が本体ケース２の内部に向けて押し込まれて、頭部２５が本体ケース２の外面に接近した状態のときに、操作部材２１の頭部２５の回転に伴って筒状部３２ａが筒状部材２０の大径筒部２０ｃの外周に沿って回転すると共に、複数のフック部３２ｂがロック係止部３３のカム溝部３３ｂ内を回転移動するように構成されている。
【００４３】
これにより、ロック機構３１は、図２に示すように、操作部材２１の頭部２５が本体ケース２の外面に接近した状態で、操作部材２１の頭部２５の回転に伴ってロック部材３２の筒状部３２ａが回転した際に、ロック部材３２の複数のフック部３２ｂがロック係止部３３のカム溝部３３ｂ内を移動してロック係止部３３の複数のカム突起３３ａに対面し、この状態でコイルばね２９のばね力によって複数のフック部３２ｂが複数のカム突起３３ａに押し当てられて係止されることにより、操作部材２１の頭部２５をロックするように構成されている。
【００４４】
また、このロック機構３１は、図２に示す状態で、操作部材２１の頭部２５の回転に伴ってロック部材３２の筒状部３２ａが回転して、ロック部材３２の複数のフック部３２ｂがロック係止部３３の複数のカム突起３３ａ間に位置した際に、複数のフック部３２ｂに対する複数のカム突起３３ａの係止が解除され、この状態でコイルばね２９のばね力によって複数のフック部３２ｂが複数のカム突起３３ａ間を通り抜けることにより、図３に示すように、操作部材２１の頭部２５が本体ケース２の外部に向けて押し出されるように構成されている。
【００４５】
ところで、本体ケース２の外面と操作部材２１の頭部２５との間には、図２〜図４に示すように、頭部２５が接離可能に弾接するパッキン部材３４が設けられている。このパッキン部材３４は、本体ケース２の外面に設けられた環状のベース部３５と、このベース部３５に設けられた環状の弾性部３６と、を備えている。
【００４６】
ベース部３５は、弾性部３６よりも硬質の合成樹脂で形成されている。このベース部３５は、図２〜図４に示すように、本体ケース２の外面に筒状部材２０の中径筒部２０ｂの外周に沿って設けられた取付凹部２ｂに配置され、この状態で筒状部材２０のフランジ部２０ｄによって押え付けられた状態で、取付凹部２ｂ内に取り付けられるように構成されている。
【００４７】
弾性部３６は、ベース部３５よりも軟質の合成樹脂からなり、図５（ａ）および図５（ｂ）に示すように、２色成型によってベース部３５に一体に形成されている。この場合、弾性部３６は、ウレタン樹脂、シリコーン樹脂、エラストマなどの合成樹脂で形成されている。また、ベース部３５は、弾性部３６と異なる硬質の合成樹脂で形成されていても良いが、弾性部３６よりも硬度が高ければ、弾性部３６と同じ合成樹脂で形成されていても良い。
【００４８】
また、この弾性部３６は、図２〜図５に示すように、断面がほぼ半円形状で、全体がリング形状に形成されている。この弾性部３６は、ベース部３５の一面（図５（ｂ）では上面）における外周側に設けられ、本体ケース２の取付凹部２ｂ内にベース部３５が配置された際に、本体ケース２の外面から外部に向けて突出するように構成されている。
【００４９】
これにより、パッキン部材３４は、図２に示すように、操作部材２１の頭部２５が本体ケース２側に押し込まれてロック機構３１によってロックされた際に、本体ケース２の外面に接近した頭部２５の内面が弾性部３６に弾力的に圧接することにより、本体ケース２の外面と頭部２５の内面との間の防水を図り、水や泥などの異物の侵入を防ぐように構成されている。
【００５０】
この場合、ベース部３５は、図４および図５に示すように、本体ケース２の取付凹部２ｂ内に配置された際に、回転止め部３７によって取付凹部２ｂ内で筒状部材２０の円周方向に回転しないように位置規制されている。すなわち、この回転止め部３７は、ベース部３５の内周縁に設けられた切欠き部３７ａと、本体ケース２の取付凹部２ｂ内に設けられて切欠き部３７ａが係合する係合突起３７ｂと、を有している。
【００５１】
これにより、パッキン部材３４は、図２に示すように、操作部材２１の頭部２５が弾性部３６に弾力的に圧接した状態で、頭部２５が回転操作された際に、本体ケース２の係合突起３７ｂがベース部３５の切欠き部３７ａに係合していることにより、本体ケース２の取付凹部２ｂ内でベース部３５が弾性部３６と共に筒状部材２０の円周方向に回転することがなく、頭部２５のみが弾性部３６に圧接した状態で摺動回転するように構成されている。
【００５２】
次に、このような腕時計におけるスイッチ装置１６の作用について説明する。
このスイッチ装置１６は、通常の状態のときに、図２に示すように、操作部材２１の頭部２５が本体ケース２側に向けて押し込まれてロック機構３１によってロックされている。すなわち、頭部２５が押し込まれた状態で、頭部２５に設けられたロック部材３２の複数のフック部３２ｂが、筒状部材２０に設けられたロック係止部３３の複数のカム突起３３ａに係止されている。これにより、頭部２５が筒状部材２０に対してロックされている。
【００５３】
このときには、頭部２５が本体ケース２側に向けて押し込まれていることにより、頭部２５が本体ケース２の外面に接近し、この状態で頭部２５が本体ケース２の外面に設けられたパッキン部材３４の弾性部３６を弾性変形させた状態で、弾性部３６に圧接している。これにより、本体ケース２の外面とこれに対面する頭部２５の内面との間がパッキン部材３４の弾性部３６によって防水される。
【００５４】
このため、このスイッチ装置１６では、通常の状態のときに、本体ケース２の外面とこれに対面する頭部２５の内面との間から、水や泥、あるいはゴミなどの異物の侵入を防ぐことができる。また、この状態では、頭部２５が落下などによる外部からの衝撃を受けた際に、その衝撃がパッキン部材３４の弾性部３６で緩衝されるので、衝撃から本体ケース２内の時計モジュール７を保護することができる。
【００５５】
また、このスイッチ装置１６で時刻修正をする場合には、まず、ロック機構３１による頭部２５のロックを解除する。このときには、頭部２５を所定角度、例えば約６０度回転させて、頭部２５内のロック部材３２の筒状部３２ａを所定角度、例えば約６０度の角度だけ回転させる。すると、このロック部材３２の複数のフック部３２ｂが回転移動して、筒状部材２０に設けられたロック係止部３３の複数のカム突起３３ａ間の中間部に対応する。
【００５６】
このときには、コイルばね２９のばね力によってロック部材３２の筒状部３２ａが本体ケース２の外部に向けて押し出されるので、ロック部材３２の複数のフック部３２ｂが複数のカム突起３３ａ間を通り抜けて、図３に示すように、頭部２５が本体ケース２の外部に向けて押し出される。
【００５７】
この場合には、操作部材２１の軸部２４が本体ケース２の外部に向けスライドし、軸部２４の連結穴２７内に配置された連動部材２８の角板部２８ａが、軸部２４の連結穴２７の角孔部２７ａ内を相対的に移動する。すなわち、このときには、軸部２４がスライドしても、連動部材２８はコイルばね２９のばね力によって押えられているので、軸部２４と共にスライドしない。
【００５８】
このため、巻真３０は連動部材２８と共に同じ状態（ニュートラル状態）を維持する。この状態で、操作部材２１の頭部２５を回転させ、この回転に伴って軸部２４と共に連動部材２８を回転させ、この回転に伴って巻真３０を回転させても、巻真３０は空転するだけで、巻真３０によって時計モジュール７の時計ムーブメントは動作せず、指針の時刻修正は行われない。
【００５９】
そこで、頭部２５を本体ケース２の外部に向けて更に引き出すと、これに伴って軸部２４がコイルばね２９のばね力に抗して本体ケース２の外部に向けてスライドする。このときには、連動部材２８が軸部２４と共にスライドし、この連動部材２８と共に巻真３０が本体ケース２の外部に向けてスライドして、時計モジュール７の時計ムーブメントを操作可能な状態になる。
【００６０】
この状態で、操作部材２１の頭部２５を回転させると、この頭部２５の回転に伴って軸部２４が連動部材２８を回転させる。これにより、巻真３０が連動部材２８と共に回転するので、この巻真３０によって時計モジュール７の時計ムーブメントが操作され、指針が運針して、この指針によって指示される時刻が修正される。
【００６１】
このように、この腕時計のスイッチ装置１６によれば、本体ケース２の貫通孔１８に設けられた筒状部材２０と、この筒状部材２０に挿入する軸部２４、およびこの軸部２４の外端部に設けられて本体ケース２の外面に接離可能に接近する頭部２５を有する操作部材２１と、本体ケース２の外面と操作部材２１の頭部２５との間に筒状部材２０の外周に沿って環状に配置され、頭部２５が接離可能に弾接するパッキン部材３４と、を備えているので、頭部２５をパッキン部材３４に弾接させることにより、異物の侵入を防いで、耐衝撃性を確保でき、かつ操作部材２１の操作性を向上させることができる。
【００６２】
すなわち、この腕時計のスイッチ装置１６では、本体ケース２の貫通孔１８に設けられた筒状部材２０に操作部材２１の軸部２４を押し込んで、操作部材２１の頭部２５を本体ケース２の外面に接近させた際に、頭部２５をパッキン部材３４に弾接させることができるので、本体ケース２の外面と操作部材２１の頭部２５との間における防水性を確保することができると共に、外部からの衝撃をパッキン部材３４によって緩衝することができる。
【００６３】
このため、このスイッチ装置１６では、通常の状態のときに、頭部２５をパッキン部材３４に弾接させることができるので、本体ケース２の外面とこれに対面する頭部２５の内面との間から、水や泥、あるいはゴミなどの異物の侵入を確実に防ぐことができると共に、頭部２５が落下などによる外部からの衝撃を受けた際に、その衝撃をパッキン部材３４によって緩衝することができるので、衝撃から本体ケース２内の時計モジュール７を良好に保護することができる。
【００６４】
また、このスイッチ装置１６では、操作部材２１の軸部２４を筒状部材２０から外部に向けて引き出し、操作部材２１の頭部２５をパッキン部材３４から離した状態で、操作部材２１を操作することができ、これにより操作部材２１がパッキン部材３４の影響を受けることがないので、操作部材２１の操作性を向上させることができる。
【００６５】
この場合、このスイッチ装置１６では、操作部材２１の頭部２５が本体ケース２の外面に接近した状態で、頭部２５を筒状部材２０に対してロックするロック機構３１を備えていることにより、頭部２５を押し込んで本体ケース２の外面に接近させた状態で、ロック機構３１によって頭部２５を筒状部材２０に対してロックすることができるので、頭部２５をパッキン部材３４に確実に圧接させることができ、これによりパッキン部材３４によって本体ケース２の外面とこれに対面する頭部２５の内面との間を確実に防水することができる。
【００６６】
すなわち、ロック機構３１は、頭部２５の内周部に設けられたロック部材３２と、筒状部材２０の大径筒部２０ｂの外周部に設けられたロック係止部３３と、を有し、ロック部材３２の複数のフック部３２ｂがロック係止部３３の複数のカム突起３３ａに係脱可能に係止されて、頭部２５を筒状部材２０に対してロックする構成であることにより、筒状部材２０に対して頭部２５を簡単にかつ確実にロックすることができると共に、筒状部材２０に対する頭部２５のロックを簡単にかつ容易に解除することができる。
【００６７】
この場合、ロック機構３１は、頭部２５が本体ケース２側に向けて押し込まれる際に、ロック係止部３３の複数のカム突起３３ａ間を通してロック部材３２の複数のフック部３２ｂを本体ケース２側に移動させることができるので、頭部２５を本体ケース２の外面に接近させてパッキン部材３４に確実に圧接させることができ、この状態で頭部２５を所定角度だけ回転させて、複数のフック部３２ｂを複数のカム突起３３ａに対応させて係合させることができるので、頭部２５を簡単にかつ確実にロックすることができる。
【００６８】
また、このロック機構３１は、頭部２５のロックを解除する際に、頭部２５を所定角度だけ回転させて、ロック部材３２の複数のフック部３２ｂをロック係止部３３の複数のカム突起３３ａ間の中間部に対応させるだけで、複数のカム突起３３ａ間を通して複数のフック部３２ｂを本体ケース２の外部側に移動させることができるので、筒状部材２０に対する頭部２５のロックを簡単にかつ容易に解除することができる。
【００６９】
さらに、このスイッチ装置１６では、パッキン部材３４が、本体ケース２の外面に配置される環状のベース部３５と、このベース部３５に設けられて操作部材２１の頭部２５が接離可能に弾接する環状の弾性部３６と、を備えていることにより、操作部材２１の頭部２５が本体ケース２側に向けて押し込まれて本体ケース２の外面に接近した際に、頭部２５を弾性部３６に弾力的に圧接させることができ、これにより本体ケース２の外面と頭部２５の内面との間における異物の侵入を防いで、耐衝撃性を確保することができる。
【００７０】
この場合、ベース部３５は、本体ケース２の外面に筒状部材２０の中径筒部２０ｂの外周に沿って設けられた取付凹部２ｂに配置され、この状態で筒状部材２０のフランジ部２０ｄによって押え付けられた状態で、取付凹部２ｂ内に取り付けられる構成であるから、ベース部３５を本体ケース２の外面に簡単にかつ確実に取り付けることができる。
【００７１】
また、弾性部３６は、ベース部３５よりも軟質の合成樹脂によって断面がほぼ半円形状で、全体がリング形状に形成され、かつ２色成型によってベース部３５に一体に形成され、この状態でベース部３５が本体ケース２の取付凹部２ｂ内に配置された際に、本体ケース２の外面から外部に向けて突出する構成であるから、頭部２５が本体ケース２の外面に接近した際に、頭部２５によって弾性部３６を確実にかつ良好に弾性変形させることができ、これにより弾性部３６に頭部２５を確実に圧接させることができる。
【００７２】
さらに、このスイッチ装置１６では、筒状部材２０の外周に沿うベース部３５の回転移動を規制する回転止め部３７を備えていることにより、頭部２５が弾性部３６に圧接した状態で回転する際に、回転止め部３７によってベース部３５が筒状部材２０の外周に沿って回転移動するのを阻止することができ、これにより頭部２５のみを弾性部３６に圧接させた状態で円滑に摺動回転させることができるので、異物の侵入を防いで、耐衝撃性を確保した状態で、操作部材２１を円滑にかつ良好に操作することができる。
【００７３】
（第２実施形態）
次に、図６（ａ）および図６（ｂ）を参照して、この発明を腕時計に適用した第２実施形態について説明する。なお、図１〜図５に示された第１実施形態と同一部分には同一符号を付して説明する。
この腕時計は、スイッチ装置１６のパッキン部材４０が第１実施形態と異なる構成であり、これ以外は第１実施形態と同じ構成になっている。
【００７４】
すなわち、このパッキン部材４０は、図６（ａ）および図６（ｂ）に示すように、本体ケース２の外面に設けられた環状のベース部４１と、このベース部４１に設けられた弾性部４２と、を備えている。ベース部４１は、弾性部４２よりも硬い軟質の合成樹脂によって環状に形成された板状の本体部４１ａと、この本体部４１ａの一面（図６（ｂ）では上面）に環状に形成されて本体ケース２の外部に向けて突出する突起部４１ｂと、を有している。
【００７５】
この場合にも、ベース部４１は、第１実施形態と同様、本体部４１ａが本体ケース２の外面に筒状部材２０の中径筒部２０ｂの外周に沿って設けられた取付凹部２ｂに配置され、この状態で本体部４１ａが筒状部材２０のフランジ部２０ｄによって押え付けられるように構成されている。この場合、突起部４１ｂは、その突出した先端が本体ケース２の外面と同じ位置か、それよりも外部に向けて少し突出した状態で配置されるように構成されている。
【００７６】
弾性部４２は、ベース部４１よりも柔らかい軟質の合成樹脂からなり、図６（ｂ）に示すように、ベース部４１の突起部４１ｂの外面にこれを覆った状態で、２色成型によって一体に形成されている。この弾性部４２は、ベース部４１の本体部４１ａが本体ケース２の取付凹部２ｂ内に配置された際に、本体ケース２の外面から外部に向けて突出するように構成されている。
【００７７】
これにより、パッキン部材４０は、図２に示したように、操作部材２１の頭部２５が本体ケース２側に押し込まれてロック機構３１によってロックされた際に、本体ケース２の外面に接近した頭部２５の内面が弾性部４２に弾力的に圧接することにより、本体ケース２の外面と頭部２５の内面との間の防水を図るように構成されている。
【００７８】
この場合にも、ベース部４１は、図６（ａ）および図６（ｂ）に示すように、本体ケース２の取付凹部２ｂ内に配置された際に、回転止め部３７によって取付凹部２ｂ内で筒状部材２０の円周方向に回転しないように構成されている。すなわち、この回転止め部３７は、第１実施形態と同様、ベース部４１の内周縁に設けられた切欠き部３７ａと、本体ケース２の取付凹部２ｂ内に設けられて切欠き部３７ａが係合する係合突起３７ｂとを有している。
【００７９】
このような腕時計のスイッチ装置１６においても、第１実施形態と同様の作用効果があるほか、パッキン部材４０が、ベース部４１と弾性部４２とを備え、ベース部４１が本体ケース２の外面に配置される環状の本体部４１ａと、この本体部４１ａに一体に形成されて本体ケース２の外部に向けて突出する環状の突起部４１ｂとを有し、弾性部４２が突起部４１ｂの外面に設けられていることにより、頭部２５を弾性部３６に弾力的に圧接させることができ、これにより本体ケース２の外面と頭部２５の内面との間における異物の侵入を防いで、耐衝撃性を確保することができる。
【００８０】
この場合、ベース部４１は、弾性部４２よりも硬い軟質の合成樹脂で形成され、弾性部４２がベース部４１よりも柔らかい軟質の合成樹脂で形成されていることにより、操作部材２１の頭部２５が本体ケース２側に向けて押し込まれて本体ケース２の外面に接近した際に、頭部２５によって弾性部３６を弾性変形させることができると共に、ベース部４１の突起部４１ｂも弾性変形させることができる。
【００８１】
このため、このパッキン部材４０によっても、頭部２５を弾性部４２に確実にかつ良好に圧接させることができ、これにより本体ケース２の外面と頭部２５の内面との間における異物の侵入を、第１実施形態のパッキン部材３４よりも、確実に防ぐことができると共に、耐衝撃性を確保することができる。
【００８２】
（第３実施形態）
次に、図７および図８を参照して、この発明を腕時計に適用した第３実施形態について説明する。この場合にも、図１〜図５に示された第１実施形態と同一部分には同一符号を付して説明する。
この腕時計は、スイッチ装置１６のパッキン部材４５が第１実施形態と異なる構成であり、これ以外は第１実施形態と同じ構成になっている。
【００８３】
すなわち、このパッキン部材４５は、図７および図８に示すように、本体ケース２の外面に設けられた環状のベース部４６と、このベース部４６に環状に設けられた弾性部４７と、ロック機構３１によって操作部材２１の頭部２５をロックする際およびそのロックを解除する際における頭部２５の回転操作力を制動する制動部４８と、を備えている。
【００８４】
ベース部４６は、第２実施形態と同様、弾性部４７よりも硬い軟質の合成樹脂によって環状の板状に形成されている。この場合にも、ベース部４６は、第１実施形態と同様、本体ケース２の外面に筒状部材２０の中径筒部２０ｂの外周に沿って設けられた取付凹部２ｂに配置され、この状態で筒状部材２０のフランジ部２０ｄによって押え付けられるように構成されている。
【００８５】
弾性部４７は、第２実施形態と同様、ベース部４６よりも柔らかい軟質の合成樹脂からなり、２色成型によってベース部４６と一体に形成されている。また、この弾性部４７は、第１実施形態と同様、ベース部４６が本体ケース２の取付凹部２ｂ内に配置された際に、本体ケース２の外面から外部に向けて突出するように構成されている
【００８６】
制動部４８は、図７および図８（ｃ）に示すように、ベース部４６の一面（図８（ｃ）では上面）にその環状方向に沿って所定間隔で山形状に形成された複数の制動突起部４８ａと、弾性部４７の一面（図８（ｃ）では下面）にその環状方向に沿って所定間隔でほぼ台形の山形状に形成されて複数の制動突起部４８ａ間にそれぞれ嵌合する複数の嵌合突起部４８ｂと、を備えている。
【００８７】
この場合、ロック機構部３１は、第１実施形態と同様、頭部２５に設けられたロック部材３２の複数のフック部３２ｂが筒状部材２０に設けられたロック係止部３３のカム溝部３３ｂ内を回転移動して、ロック係止部３３の複数のカム突起３３ａに対して複数のフック部３２ｂが係脱することにより、頭部２５をロックし、かつそのロックを解除するように構成されている。
【００８８】
このため、複数の制動突起部４８ａそれぞれは、図７および図８（ｃ）に示すように、操作部材２１の頭部２５によってロック機構部３１のフック部３２ｂがカム突起３３ａに係止されるロック方向に回転移動する際に、その回転方向に沿って緩やかに傾斜する第１傾斜面Ｓ１と、フック部３２ｂがカム突起３３ａから離脱するロック解除方向に回転移動する際に、その回転方向に沿って急峻に傾斜する第２傾斜面Ｓ２と、を有し、これらによって全体が山形状に形成されている。
【００８９】
複数の嵌合突起部４８ｂそれぞれは、図７および図８（ｃ）に示すように、制動突起部４８ａの緩やかに傾斜する第１傾斜面Ｓ１に弾接する第１弾接面Ｄ１と、制動突起部４８ａの急峻に傾斜する第２傾斜面Ｓ２に弾接する第２弾接面Ｄ２と、制動突起部４８ａ間に位置するベース部４６の一面（図８（ｃ）では上面）に弾接する第３弾接面Ｄ３と、を有し、これらによって全体がほぼ台形の山形状に形成されている。
【００９０】
これにより、複数の嵌合突起部４８ｂそれぞれは、図７および図８（ｃ）に示すように、操作部材２１の頭部２５が弾性部４７に圧接した状態でロック機構３１によってロックされるロック方向（図７では時計回り方向）に向けて回転する際に、第１弾性面Ｄ１が制動突起部４８ａの緩やかに傾斜する第１傾斜面Ｓ１に押し付けられる方向に弾性変形することにより、弾性変形がしやすくなるように構成されている。
【００９１】
また、これら複数の嵌合突起部４８ｂそれぞれは、図７および図８（ｃ）に示すように、操作部材２１の頭部２５が弾性部４７に圧接した状態で、ロック機構３１によってロックされた頭部２５のロックを解除するロック解除方向（図７では反時計回り方向）に回転する際に、第２弾性面Ｄ２が制動突起部４８ａの急峻に傾斜する第２傾斜面Ｓ２に押し付けられる方向に弾性変形することにより、弾性変形がしにくくなるように構成されている。
【００９２】
このため、この制動部４８は、図７および図８に示すように、操作部材２１の頭部２５を弾性部４７に圧接させた状態で回転させる際に、ロック機構３１によって頭部２５をロックする際のロック操作力と、ロック機構３１による頭部２５のロックを解除する際のロック解除操作力とが、複数の嵌合突起部４８ｂそれぞれの弾性変形に応じて異なるように構成されている。
【００９３】
すなわち、この制動部４８は、ロック機構３１によって頭部２５をロックする際に、複数の嵌合突起部４８ｂそれぞれが弾性変形し易いため、頭部２５におけるロック操作力が軽く、またロック機構３１による頭部２５のロックを解除する際に、複数の嵌合突起部４８ｂそれぞれが弾性変形し難いため、頭部２５におけるロック解除操作力が重くなるように構成されている。
【００９４】
この場合にも、ベース部４６は、図７および図８に示すように、本体ケース２の取付凹部２ｂ内に配置された際に、回転止め部３７によって取付凹部２ｂ内で筒状部材２０の円周方向に回転しないように構成されている。すなわち、この回転止め部３７は、第１実施形態と同様、ベース部４６の内周縁に設けられた切欠き部３７ａと、本体ケース２の取付凹部２ｂ内に設けられて切欠き部３７ａが係合する係合突起３７ｂと、を有している。
【００９５】
このような腕時計のスイッチ装置１６においても、第１実施形態と同様の作用効果があるほか、パッキン部材４５が、ベース部４６と弾性部４７とのほかに、制動部４８を備えているので、操作部材２１の頭部２５を弾性部４７に圧接させた状態で回転させる際に、ロック機構３１によって頭部２５をロックする際のロック操作力と、ロック機構３１による頭部２５のロックを解除する際のロック解除操作力とを、制動部４８によって変えることができる。
【００９６】
すなわち、この制動部４８は、ベース部４６に形成された複数の制動突起部４８ａと、弾性部４７に形成されて複数の制動突起部４８ａ間にそれぞれ嵌合する複数の嵌合突起部４８ｂと、を備え、制動突起部４８ａが緩やかな第１傾斜面Ｓ１と急峻な第２斜面Ｓ２とを有し、嵌合突起部４８ｂが第１傾斜面Ｓ１に弾接する第１弾接面Ｄ１と第２斜面Ｓ２に弾接する第２弾接面Ｄ２とを有しているので、頭部２５を弾性部４７に圧接させた状態で回転させる際に、その回転方向によって嵌合突起部４８ｂの弾性変形状態を変えることができる。
【００９７】
このため、このスイッチ装置１６では、ロック機構３１によって頭部２５をロックする際に、複数の嵌合突起部４８ｂそれぞれを弾性変形し易くすることにより、頭部２５におけるロック操作力を軽くすることができ、またロック機構３１による頭部２５のロックを解除する際に、複数の嵌合突起部４８ｂそれぞれを弾性変形し難くすることにより、頭部２５におけるロック解除操作力を重くすることができ、これにより不用意に頭部２５が回転してロックが解除されないようにすることができる。
【００９８】
（第４実施形態）
次に、図９および図１０を参照して、この発明を腕時計に適用した第４実施形態について説明する。この場合にも、図１〜図５に示された第１実施形態と同一部分には同一符号を付して説明する。
この腕時計は、スイッチ装置１６のパッキン部材５０が第１実施形態と異なる構成であり、これ以外は第１実施形態とほぼ同じ構成になっている。
【００９９】
すなわち、このパッキン部材５０は、図９および図１０に示すように、本体ケース２の外面に設けられた環状のベース部５１と、このベース部５１に環状に設けられた弾性部５２と、ベース部５１の捩れを規制する捩れ規制部５３と、を備えている。ベース部５１は、弾性部５２よりも硬い軟質の合成樹脂によって環状の板状に形成されている。
【０１００】
このベース部５１は、図１０（ａ）〜図１０（ｃ）に示すように、その外周側の厚みが内周側の厚みよりも厚く形成され、これにより外周側と内周側との境界部に段差部５１ａが形成されている。このベース部５１は、図９に示すように、本体ケース２の外面に筒状部材２０の中径筒部２０ｂの外周に沿って設けられた取付凹部５４に配置され、この状態で、第１実施形態と同様、筒状部材２０のフランジ部２０ｄによって押え付けられるように構成されている。
【０１０１】
弾性部５２は、ベース部５１よりも柔らかい軟質の合成樹脂からなり、図１０（ａ）〜図１０（ｃ）に示すように、ベース部５１の外周面に、段差部５１ａを跨いだ状態で、２色成型によって一体に形成されている。この弾性部５２は、ベース部５１が本体ケース２の取付凹部５４内に配置された際に、本体ケース２の外面から外部に向けて突出するように構成されている。
【０１０２】
捩れ規制部５３は、図９および図１０に示すように、ベース部５１の外周にその径方向に突出して形成された複数の放射突起部５３ａを有している。これら複数の放射突起部５３ａは、その厚みがベース部５１の外周側の厚みと同じ厚みで、ベース部５１の外周から放射状に突出して形成されている。
【０１０３】
この場合、本体ケース２の取付凹部５４は、図９に示すように、ベース部５１が配置されるベース装着凹部５４ａと、このベース装着凹部５４ａの外周に放射状に設けられて複数の放射突起部５３ａが配置される複数の規制装着凹部５４ｂと、を有している。
【０１０４】
これにより、捩れ規制部５３は、図９および図１０に示すように、複数の放射突起部５３ａと複数の規制装着凹部５４ｂとを備え、複数の放射突起部５３ａが複数の規制装着凹部５４ｂに装着することにより、操作部材２１の頭部２５が弾性部５２に圧接した状態で回転する際に、その頭部２５の回転に伴うベース部５１の捩れを規制して阻止するように構成されている。
【０１０５】
この場合にも、パッキン部材５０は、図２に示したように、操作部材２１の頭部２５が本体ケース２側に押し込まれてロック機構３１によってロックされた際に、本体ケース２の外面に接近した頭部２５の内面が弾性部５２に弾力的に圧接することにより、本体ケース２の外面と頭部２５の内面との間の防水を図るように構成されている。
【０１０６】
また、この場合にも、ベース部５１は、図９および図１０に示すように、本体ケース２の取付凹部５４内に配置された際に、回転止め部３７によって取付凹部５４内で筒状部材２０の円周方向に回転しないように構成されている。すなわち、この回転止め部３７は、第１実施形態と同様、ベース部５１の内周縁に設けられた切欠き部３７ａと、本体ケース２の取付凹部５４内に設けられて切欠き部３７ａが係合する係合突起３７ｂとを有している。
【０１０７】
このような腕時計のスイッチ装置１６においても、第１実施形態と同様の作用効果があるほか、パッキン部材５０が、ベース部５１と弾性部５２とのほかに、捩れ規制部５３を備えているので、操作部材２１の頭部２５が弾性部５２に圧接した状態で回転する際に、その頭部２５の回転に伴うベース部５１の捩れを捩れ規制部５３によって規制して確実に阻止することができる。
【０１０８】
すなわち、このパッキン部材５０の捩れ規制部５３は、ベース部５１の外周にその径方向に突出して形成された複数の放射突起部５３ａと、本体ケース２の取付凹部５４に設けられて複数の放射突起部５３ａが配置される複数の規制装着凹部５４ｂと、を備え、複数の放射突起部５３ａが複数の規制装着凹部５４ｂに装着する構成であるから、操作部材２１の頭部２５が弾性部５２に圧接した状態で回転する際に、その頭部２５の回転に伴うベース部５１の捩れを確実に規制して阻止することができる。
【０１０９】
この場合、パッキン部材５０のベース部５１は、その外周側の厚みが内周側の厚みよりも厚く形成され、これにより外周側と内周側との境界部に段差部５１ａが形成され、このベース部５１の外周面に弾性部５２が段差部５１ａを跨いだ状態で、２色成型によって一体に形成されていることにより、ベース部５１に対する弾性部５２の接合面積を段差部５１ａによって広くすることができ、これにより第１実施形態の場合よりも、弾性部５２をベース部５１に対して強固に設けることができる。
【０１１０】
（第５実施形態）
次に、図１１および図１２を参照して、この発明を腕時計に適用した第５実施形態について説明する。この場合にも、図１〜図５に示された第１実施形態と同一部分には同一符号を付して説明する。
この腕時計は、スイッチ装置１６のパッキン部材６０が第１実施形態と異なる構成であり、これ以外は第１実施形態とほぼ同じ構成になっている。
【０１１１】
すなわち、このパッキン部材６０は、図１１および図１２に示すように、本体ケース２の外面に設けられた環状のベース部６１と、このベース部６１に環状に設けられた弾性部６２と、ベース部６１の捩れを規制する捩れ規制部６３と、を備えている。
【０１１２】
ベース部６１は、図１２に示すように、弾性部６２よりも硬い軟質の合成樹脂によって環状の板状に形成されている。このベース部６１は、図１１に示すように、本体ケース２の外面に筒状部材２０の中径筒部２０ｂの外周に沿って設けられた取付凹部６４に配置され、この状態で、第１実施形態と同様、筒状部材２０のフランジ部２０ｄによって押え付けられるように構成されている。
【０１１３】
弾性部６２は、第１実施形態と同様、ベース部６１よりも柔らかい軟質の合成樹脂からなり、ベース部６１の外周面に２色成型によって一体に形成されている。この弾性部６２は、ベース部６１が本体ケース２の取付凹部６４内に配置された際に、本体ケース２の外面から外部に向けて突出するように構成されている。
【０１１４】
捩れ規制部６３は、図１１および図１２に示すように、ベース部６１の一面（図１２（ｂ）では下面）に、本体ケース２に向けて突出して形成された一対の規制突起部６３ａを有している。この場合、本体ケース２の取付凹部６４は、図１１に示すように、ベース部６１が配置されるベース装着凹部６４ａと、このベース装着凹部６４ａ内に設けられて一対の規制突起部６３ａが配置される一対の規制装着凹部６４ｂと、を有している。
【０１１５】
これにより、捩れ規制部６３は、図１１および図１２に示すように、一対の規制突起部６３ａと一対の規制装着凹部６４ｂとを備え、一対の規制突起部６３ａが一対の規制装着凹部６４ｂに装着することにより、操作部材２１の頭部２５が弾性部５２に圧接した状態で回転する際に、その頭部２５の回転に伴うベース部６１の捩れを規制して阻止するように構成されている。
【０１１６】
この場合にも、パッキン部材６０は、図２に示したように、操作部材２１の頭部２５が本体ケース２側に押し込まれてロック機構３１によってロックされた際に、本体ケース２の外面に接近した頭部２５の内面が弾性部６２に弾力的に圧接することにより、本体ケース２の外面と頭部２５の内面との間の防水を図るように構成されている。
【０１１７】
また、この場合にも、ベース部６１は、図１１および図１２に示すように、本体ケース２の取付凹部６４内に配置された際に、回転止め部３７によって取付凹部６４内で筒状部材２０の円周方向に回転しないように構成されている。すなわち、この回転止め部３７は、第１実施形態と同様、ベース部６１の内周縁に設けられた切欠き部３７ａと、本体ケース２の取付凹部６４内に設けられて切欠き部３７ａが係合する係合突起３７ｂとを有している。
【０１１８】
このような腕時計のスイッチ装置１６においても、第１実施形態と同様の作用効果があるほか、パッキン部材６０が、ベース部６１と弾性部６２とのほかに、捩れ規制部６３を備えているので、操作部材２１の頭部２５が弾性部６２に圧接した状態で回転する際に、その頭部２５の回転に伴うベース部６１の捩れを捩れ規制部６３によって規制して確実に阻止することができる。
【０１１９】
すなわち、このパッキン部材６０の捩れ規制部６３は、ベース部６１に本体ケース２側に向けて突出して形成された一対の規制突起部６３ａと、本体ケース２の取付凹部６４に設けられて一対の規制突起部６３ａが配置される一対の規制装着凹部６４ｂと、を備え、一対の規制突起部６３ａが一対の規制装着凹部６４ｂに装着する構成であるから、操作部材２１の頭部２５が弾性部６２に圧接した状態で回転する際に、その頭部２５の回転に伴うベース部６１の捩れを確実に規制して阻止することができる。
【０１２０】
なお、上述した第１〜第５の各実施形態では、操作部材２１の軸部２４に連動部材２８を設け、この連動部材２８に巻真３０を設け、この巻真３０で時計モジュール７の時計ムーブメントを操作するように構成した場合について述べたが、必ずしも連動部材２８や巻真３０を備えている必要はなく、操作部材２１の軸部２４で時計モジュール７を操作するように構成したものであっても良い。
【０１２１】
また、上述した第１〜第５の各実施形態では、ロック機構３１が操作部材２１の頭部２５に設けられたロック部材３２と、筒状部材２０に設けられたロック係止部３３と、を備え、ロック部材３２の複数のフック部３２ｂをロック係止部３３の複数のカム突起３３ａが係脱可能に係止する構成である場合について述べたが、これに限らず、例えば操作部材２１の頭部２５の内周面に雌ねじ部を設け、筒状部材２０の大径筒部２０ｂに頭部２５の雌ねじが螺合する雄ねじ部を設けたねじ式のロック機構であっても良い。
【０１２２】
また、上述した第１〜第５の各実施形態では、ロック機構３１を備えている場合について述べたが、必ずしもロック機構を備えている必要はない。
【０１２３】
さらに、上述した第１〜第５の各実施形態では、腕時計に適用した場合について述べたが、必ずしも腕時計である必要はなく、例えばトラベルウオッチ、目覚まし時計、置き時計、掛け時計などの各種の時計に適用することができる。また、必ずしも時計である必要はなく、携帯電話機や携帯情報端末機などの電子機器にも広く適用することができる。
【０１２４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２５】
（付記）
請求項１に記載の発明は、貫通孔を有するケースと、前記ケースの前記貫通孔に設けられた筒状部材と、前記筒状部材に挿入する軸部、およびこの軸部の外端部に設けられて前記ケースの外面に接離可能に接近する頭部を有する操作部材と、前記ケースの外面と前記操作部材の前記頭部との間に前記筒状部材の外周に沿って環状に配置され、前記頭部が接離可能に弾接するパッキン部材と、を備えていることを特徴とするスイッチ装置である。
【０１２６】
請求項２に記載の発明は、請求項１に記載のスイッチ装置において、前記操作部材の前記頭部が前記ケースの外面に接近した状態で、前記頭部を前記筒状部材に対してロックするロック機構を備えていることを特徴とするスイッチ装置である。
【０１２７】
請求項３に記載の発明は、請求項１または請求項２に記載のスイッチ装置において、前記パッキン部材は、前記ケースの外面に配置される環状のベース部と、このベース部に設けられて前記頭部が接離可能に弾接する環状の弾性部と、を備えていることを特徴とするスイッチ装置である。
【０１２８】
請求項４に記載の発明は、請求項３に記載のスイッチ装置において、前記ベース部には、前記ケースの外部に向けて突出する突起部が環状に設けられており、前記弾性部は、前記突起部の外面に設けられていることを特徴とするスイッチ装置である。
【０１２９】
請求項５に記載の発明は、請求項３に記載のスイッチ装置において、前記パッキン部材は、前記ロック機構によって前記頭部をロックする際のロック操作力と、前記ロック機構による前記頭部のロックを解除する際のロック解除操作力と、が異なるように制動する制動部を備えていることを特徴とするスイッチ装置である。
【０１３０】
請求項６に記載の発明は、請求項１〜請求項５のいずれかに記載のスイッチ装置において、前記パッキン部材は、前記ケースの外面に前記筒状部材に設けられたフランジ部によって押え付けられた状態で配置されることを特徴とするスイッチ装置である。
【０１３１】
請求項７に記載の発明は、請求項１〜請求項６のいずれかに記載のスイッチ装置において、前記パッキン部材は、前記筒状部材の外周に沿う回転移動を規制する回転止め部を備えていることを特徴とするスイッチ装置である。
【０１３２】
請求項８に記載の発明は、請求項１〜請求項７のいずれかに記載のスイッチ装置において、前記パッキン部材は、前記頭部が圧接した状態で回転する際における前記パッキン部材の捩れを規制する捩れ規制部を備えていることを特徴とするスイッチ装置である。
【０１３３】
請求項９に記載の発明は、請求項１〜請求項８のいずれかに記載されたスイッチ装置を備えていることを特徴とする時計である。
【符号の説明】
【０１３４】
１  腕時計ケース
２  本体ケース
２ｂ  取付凹部
７  時計モジュール
１６  スイッチ装置
１８  貫通孔
２０  筒状部材
２１  操作部材
２４  軸部
２５  頭部
２８  連動部材
３０  巻真
３１  ロック機構
３２  ロック部材
３２ａ  筒状部
３２ｂ  フック部
３３  ロック係止部
３３ａ  カム突起
３３ｂ  カム溝部
３４、４０、４５、５０、６０  パッキン部材
３５、４１、４６、５１、６１  ベース部
３６、４２、４７、５２、６２  弾性部
３７  回転止め部
３７ａ  切欠き部
３７ｂ  係合突起
４１ａ  本体部
４１ｂ  突起部
４８  制動部
４８ａ  制動突起部
４８ｂ  嵌合突起部
５３、６３  捩れ規制部
５３ａ  放射突起部
５４、６４  取付凹部
５４ａ、６４ａ  ベース装着凹部
５４ｂ、６４ｂ  規制装着凹部
６３ａ  規制突起部
【図１】
2019012086.tif 000003
【図２】
2019012086.tif 000004
【図３】
2019012086.tif 000005
【図４】
2019012086.tif 000006
【図５】
2019012086.tif 000007
【図６】
2019012086.tif 000008
【図７】
2019012086.tif 000009
【図８】
2019012086.tif 000010
【図９】
2019012086.tif 000011
【図１０】
2019012086.tif 000012
【図１１】
2019012086.tif 000013
【図１２】
2019012086.tif 000014
【手続補正書】
【提出日】平成30年11月12日(2018.11.12)
【手続補正１】
【補正対象書類名】明細書
【補正対象項目名】０００８
【補正方法】変更
【補正の内容】
【０００８】
この発明は、ケースの貫通孔に設けられた筒状部材と、前記筒状部材に挿入する軸部、およびこの軸部の外端部に設けられて前記ケースの外面に接離可能に接近する頭部を有する操作部材と、前記ケースの外面と前記操作部材の前記頭部との間に前記筒状部材の外周に沿って配置されたパッキン部材と、を備え、前記パッキン部材は、前記ケースの外面に配置されるベース部と、このベース部に設けられて前記頭部が接離可能に弾接する弾性部と、を備えていることを特徴とするスイッチ装置である。
【手続補正２】
【補正対象書類名】特許請求の範囲
【補正対象項目名】全文
【補正方法】変更
【補正の内容】
【特許請求の範囲】
【請求項１】
ケースの貫通孔に設けられた筒状部材と、
前記筒状部材に挿入する軸部、およびこの軸部の外端部に設けられて前記ケースの外面に接離可能に接近する頭部を有する操作部材と、
前記ケースの外面と前記操作部材の前記頭部との間に前記筒状部材の外周に沿って配置されたパッキン部材と、
を備え、
前記パッキン部材は、前記ケースの外面に配置されるベース部と、このベース部に設けられて前記頭部が接離可能に弾接する弾性部と、を備えていることを特徴とするスイッチ装置。
【請求項２】
ケースの貫通孔に設けられた筒状部材と、
前記筒状部材に挿入する軸部、およびこの軸部の外端部に設けられて前記ケースの外面に接離可能に接近する頭部を有する操作部材と、
前記ケースの外面と前記操作部材の前記頭部との間に前記筒状部材の外周に沿って配置されたパッキン部材と、
を備え、
前記パッキン部材は、前記頭部をロックする際のロック操作力と、前記頭部のロックを解除する際のロック解除操作力と、が異なるように制動する制動部を備えていることを特徴とするスイッチ装置。
【請求項３】
請求項１又は請求項２に記載のスイッチ装置において、前記操作部材の前記頭部が前記ケースの外面に接近した状態で、前記頭部を前記筒状部材に対してロックするロック機構を備えていることを特徴とするスイッチ装置。
【請求項４】
請求項１〜請求項３のいずれかに記載されたスイッチ装置を備えていることを特徴とする時計。